(57)【要約】【課題】販売される商品を容易かつ確実に店舗の売上に登録することを可能にする。【解決手段】実施形態によれば、表示装置は、表示部、受信部、登録部、制御部、及び第１入力部とを備える。受信部は、販売時機が設定された商品の商品データを含む注文明細データを受信する。登録部は、前記注文明細データに含まれる商品データを売上登録する。制御部は、前記注文明細データが前記販売時機を過ぎても売上登録されていない商品データを含む場合、少なくとも当該注文明細データを未計上データとして売上登録されていない状態が識別可能となるように前記表示部に表示する。第１入力部は、前記表示部に表示された前記未計上データを売上登録する指示を入力する。登録部は、前記第１入力部により入力された指示に応じて、前記未計上データについて売上登録する。【選択図】図１
2018120625.tif 000002
【特許請求の範囲】
【請求項１】
表示部と、
販売時機が設定された商品の商品データを含む注文明細データを外部装置から受信する受信部と、
前記注文明細データに含まれる商品データを売上登録する登録部と、
前記注文明細データが前記販売時機を過ぎても売上登録されていない商品データを含む場合、少なくとも当該注文明細データを未計上データとして売上登録されていない状態が識別可能となるように前記表示部に表示する制御部と、
前記表示部に表示された前記未計上データを売上登録する指示を入力する第１入力部と、を備え、
前記登録部は、前記第１入力部により入力された指示に応じて、前記未計上データについて売上登録する表示装置。
【請求項２】
前記注文明細データが含む商品データに対応づけて販売完了を示す完了データを入力する第２入力部をさらに有し、
前記制御部は、前記注文明細データに含まれる商品データに対応する前記完了データが入力されていない商品データを含む場合、少なくとも当該注文明細データを販売未完了データとして販売完了されていない状態が識別可能となるように前記表示部に表示させる請求項１記載の表示装置。
【請求項３】
一日の売上を確定する処理を開始させる指示部を有し、
前記指示部を介して前記処理を開始する場合に、前記受信部は、少なくとも前記未計上データを含む明細ファイルを前記外部装置から受信することを特徴とする請求項１または請求項２に記載の表示装置。
【請求項４】
販売時機が設定された商品の商品データを含む注文明細データを外部装置から受信する受信部と、
前記注文明細データに含まれる商品データについて売上計上する計上部と、
前記注文明細データに含まれる商品データが少なくとも前記販売時機を過ぎても売上計上されていない商品データを含む場合、少なくとも売上未計上の明細データを含み、当該明細データが売上計上されていない状態として識別可能にした明細ファイルを作成する作成部と、
前記明細データが売上計上されていない状態として識別可能となるように表示させるための表示装置に前記明細ファイルを送信する送信部と、
を有する情報処理装置。
【請求項５】
前記作成部は、複数の前記注文明細データを含む前記明細ファイルを作成する請求項４記載の情報処理装置。
【発明の詳細な説明】
【技術分野】
【０００１】
本発明の実施形態は、表示装置、及び情報処理装置に関する。
【背景技術】
【０００２】
近年、インターネットの普及に伴い、Ｗｅｂサイトを通じて商品の販売を行う形態がある。例えば、スーパーマーケット（スーパー）、コンビニエンスストアなどがサイト運営する、所謂「ネットスーパー」といった販売形態がある。ネットスーパーでは、Ｗｅｂサイトを介して商品の注文を受け付け、後日、スーパー等の実際の店舗から商品を顧客へ配達する、あるいは実際の店舗において店員が顧客に商品を受け渡す。上記の様にネットスーパーで販売される商品は、実際の店舗から供給されるため、店舗で直接販売された商品の売上と実質同様となる。そのため、ネットスーパーにより注文された商品の売上は、通常の店舗で売上される商品と同様、ＰＯＳ（Point of Sales）端末にて売上登録処理をすることにより店舗の売上として登録することができる。
【０００３】
通常、ネットスーパーにより注文された商品の売上登録は、例えば、商品を顧客へ届ける前、または配達日の翌日までに、店員の操作によりＰＯＳ端末が商品の商品コードを読み取ることにより行われる。
【０００４】
しかしながら、注文された商品を紙媒体に印刷された注文票（仕分書）をもとに顧客別に袋詰め作業をした場合、店員が売上登録を忘れてしまう場合があった。この場合、配達済みの商品は、店舗の売上として登録されなくなる虞があった。
【先行技術文献】
【特許文献】
【０００５】
【特許文献１】特開２０１３−５４５８２号公報
【発明の概要】
【発明が解決しようとする課題】
【０００６】
本発明が解決しようとする課題は、販売される商品を容易かつ確実に店舗の売上に登録することが可能な表示装置、及び情報処理装置を提供することである。
【課題を解決するための手段】
【０００７】
実施形態によれば、表示装置は、表示部、受信部、登録部、制御部、及び第１入力部とを備える。受信部は、販売時機が設定された商品の商品データを含む注文明細データを外部装置から受信する。登録部は、前記注文明細データに含まれる商品データを売上登録する。制御部は、前記注文明細データが前記販売時機を過ぎても売上登録されていない商品データを含む場合、少なくとも当該注文明細データを未計上データとして売上登録されていない状態が識別可能となるように前記表示部に表示する。第１入力部は、前記表示部に表示された前記未計上データを売上登録する指示を入力する。登録部は、前記第１入力部により入力された指示に応じて、前記未計上データについて売上登録する。
【図面の簡単な説明】
【０００８】
【図１】本実施形態のネットスーパーシステムの全体構成を概略的に示したシステム構成図。
【図２】本実施形態におけるネットスーパーサーバの動作を示すフローチャート。
【図３】本実施形態における店舗サーバの動作を示すフローチャート。
【図４】本実施形態におけるＰＯＳ端末の動作を示すフローチャート。
【図５】本実施形態におけるＰＯＳ端末の動作を示すフローチャート。
【図６】本実施形態における店舗サーバにより印刷出力される注文明細伝票（お届け伝票）の一例を示す図。
【図７】本実施形態における注文明細データファイルのデータ構成の概略を示す図。
【図８】本実施形態における点検業務選択メニュー画面の一例を示す図。
【図９】本実施形態における売上未計上確認画面の一例を示す図。
【発明を実施するための形態】
【０００９】
以下、本実施形態について、図面を参照しながら説明する。  
図１は、本実施形態のネットスーパーシステムの全体構成を概略的に示したシステム構成図である。図１に示すように、ネットスーパーシステムは、ネットスーパーサービスを提供するネットスーパーサーバ６と、スーパーマーケットやコンビニエンスストアなどの複数の実店舗のそれぞれに設けられた店舗システム７（７−１，７−２，…，７−ｎ）と、店舗システム７を統括する本部サーバ９（ホストコンピュータ）とを含む。
【００１０】
ネットスーパーサーバ６は、所謂「ネットスーパー」と称される販売形態を実現するためのサーバ装置であって、商品販売のためのＷｅｂサイトをインターネット５上に公開する。ネットスーパーサーバ６は、インターネット５を通じてＷｅｂサイトにアクセスする電子機器１０から商品購入の注文を受け付ける。電子機器１０は、顧客により操作されるもので、例えばパーソナルコンピュータ（ＰＣ）、タブレットＰＣ、スマートフォンなどである。電子機器１０は、インターネット５を通じてネットスーパーサーバ６が開設するＷｅｂサイトにアクセスする機能を有している。
【００１１】
店舗システム７（７−１，７−２，…，７−ｎ）は、例えばＰＯＳ（Point of Sales）システムとして実現される。図１に示すように、店舗システム７−１は、複数のＰＯＳ端末２（２−１，２−２，…，２−ｍ）と店舗サーバ４とを有している。なお、店舗システム７−２，…，７−ｎは、店舗システム７−１と同様の構成を有するものとして詳細な説明を省略する。以下、店舗システム７として説明する。
【００１２】
店舗サーバ４は、店舗システム７の全体を制御する。店舗サーバ４は、プロセッサ２０、メモリ２１、記録装置２２、通信インタフェース（Ｉ／Ｆ）２３、入力装置２４、表示装置２５、印刷装置２６、及び通信インタフェース（Ｉ／Ｆ）２７と、を有する。
【００１３】
プロセッサ２０は、メモリ２１に記録されたプログラムを実行することにより、店舗サーバ４としての各種処理を実現するために各部を制御する回路である。
【００１４】
メモリ２１は、プロセッサ２０により実行されるプログラムの他、プロセッサ２０が各種の処理を実行する上で参照するデータを記録する。メモリ２１に記録されるプログラムには、例えば、ネットスーパーサーバ６からネットスーパーにおいて注文された販売時機が設定された商品の商品データを含む注文明細データを受信する受信処理（受信部）、注文明細データに含まれる商品データについて、ＰＯＳ端末２において登録処理がされた場合に売上計上する計上処理（計上部）、注文明細データに含まれる商品データが少なくとも販売時機を過ぎても売上計上されていない商品データを含む場合、少なくとも売上未計上の注文明細データ（第１明細データ）を含み、第１明細データが売上計上されていない状態として識別可能にした売上未計上明細ファイル（明細ファイル）を作成する作成処理（作成部）、売上未計上明細ファイルをＰＯＳ端末２に送信して表示させる送信処理（送信部）などをプロセッサ２０により実行させる制御プログラムを含む。
【００１５】
記録装置２２は、ハードディスク（ＨＤＤ（Hard disk drive））装置やＳＳＤ（solid state drive）装置等により実現され、プロセッサ２０が各種の処理を行う上で使用するデータ、あるいはプロセッサ２０での処理によって生成されたデータを記録する。記録装置２２には、例えば商品マスタファイル、店舗売上ファイル、電子ジャーナルファイル、返品ファイル、会員別注文販売ファイルの他、ネットスーパーサーバ６から受信された注文明細データを記録する注文明細データファイル、注文明細データをもとに生成された売上未計上明細ファイル（未計上明細データ）等が記録される。商品マスタファイルは、商品コードに対応付けて商品名や単価等の商品情報を記録するファイルである。店舗売上ファイルは、ＰＯＳ端末２から送信される、売上登録された商品の商品情報及び金額とを含む売上登録データを記録するファイルである。ジャーナルファイルは、ＰＯＳ端末２やネットスーパーサーバ６における電子ジャーナルを記録するファイルである。返品ファイルは、販売されなかった（登録処理がされなかった）商品の商品情報を記録するファイルである。会員別注文販売ファイルは、ネットスーパーを利用する会員別の商品の販売実績（売上登録データ）を記録するファイルである。注文明細データファイルは、ネットスーパーサーバ６から受信された注文明細データのそれぞれについて、ＰＯＳ端末２から受信されるデータをもとに、消し込み済み（売上登録済み）を示す消込み済みフラグ、配達完了が確認されたことを示す配達確認済みフラグが設定される（図７参照）。
【００１６】
通信Ｉ／Ｆ２３は、プロセッサ２０の制御のもとで、専用回線８を通じてネットスーパーサーバ６と本部サーバ９との通信を制御する。
【００１７】
入力装置２４は、例えば、キーボード、マウス、タッチパネル等により実現され、店員の操作に応じて各種データを入力する。
【００１８】
表示装置２５は、例えば、カラーＬＣＤ（Liquid Crystal Display）等の表示デバイスにより実現され、プロセッサ２０の制御により、店舗サーバ４に設けられた各種機能を制御するための操作画面、記録装置２２に記録された各種ファイルの内容、ネットスーパーサーバ６と本部サーバ９から受信される各種データなどを表示する。
【００１９】
印刷装置２６は、プロセッサ２０の制御により各種伝票、ジャーナル、点検レシート等を印刷する。
【００２０】
通信Ｉ／Ｆ２７は、プロセッサ２０の制御のもとで、ＬＡＮ（Local Area Network）３を介したＰＯＳ端末２との通信を制御する。通信Ｉ／Ｆ２７は、有線ＬＡＮと無線ＬＡＮに接続されたＰＯＳ端末２との通信を制御する。
【００２１】
ＰＯＳ端末２−１は、プロセッサ３０、メモリ３１、記録装置３２、カードリード／ライタ３３、入力装置３４、表示装置３５、印刷装置３６、スキャナ３７、及び通信インタフェース（Ｉ／Ｆ）３８とを有する。なお、ＰＯＳ端末２−２，…，２−ｍは、ＰＯＳ端末２−１と同様の構成を有するものとして詳細な説明を省略する。以下、ＰＯＳ端末２として説明する。
【００２２】
ＰＯＳ端末２は、店舗のカウンターに設置される据え置き型、あるいは持ち運び可能な携帯型に構成される。携帯型のＰＯＳ端末２は、無線ＬＡＮを通じて店舗サーバ４と通信することができる。据え置き型のＰＯＳ端末２は、店員（キャッシャー）の操作に応じて、販売する商品を登録する売上登録処理を行うための端末である。また、ＰＯＳ端末２は、店舗サーバ４から受信されたデータをもとに表示をする表示装置として使用される。
【００２３】
プロセッサ３０は、メモリ３１に記録されたプログラムを実行することにより、ＰＯＳ端末２としての各種処理を実現するために各部を制御する回路である。
【００２４】
メモリ３１は、プロセッサ３０により実行されるプログラムの他、プロセッサ３０が各種の処理を実行する上で参照するデータを記録する。メモリ３１に記録されるプログラムには、商品の情報（商品コード等）を入力して商品の情報（商品名、単価など）に応じた会計処理に用いられる登録情報（売上登録データ）を生成する登録処理、売上登録データをもとにした会計処理、売上登録データを店舗サーバ４に送信して売上計上させる処理などをプロセッサ３０により実行させる制御プログラムを含む。
【００２５】
また、メモリ３１に記録されるプログラムには、例えばネットスーパーにおいて注文された販売時機が商品の商品データを含む注文明細データを店舗サーバ４から受信する受信処理（受信部）、注文明細データに含まれる商品データについて、ＰＯＳ端末２において登録処理がされた場合に売上登録する登録処理（登録部）、店舗サーバ４から受信される売上未計上明細ファイルをもとに、注文明細データが販売時機を過ぎても売上登録されていない商品データを含む場合、少なくとも当該注文明細データを未計上データとして売上登録されていない状態が識別可能となるように表示装置２５に表示させる制御処理（制御部）、表示装置２５に表示された未計上データを売上登録する指示を入力する第１入力処理（第１入力部）、注文明細データが含む商品データに対応づけて販売完了を示す完了データを入力する第２入力処理（第２入力部）などをプロセッサ３０により実行させる制御プログラムを含む。登録処理では、制御処理により表示された注文明細データについて、入力処理により売上登録する指示が入力された場合に、この指示に応じて注文明細データ（未計上データ）に含まれる商品データについて売上登録することができる。複数の注文明細データが表示されている場合、登録処理では、複数の注文明細データについて一括して売上登録する。また、制御処理では、注文明細データに含まれる商品データに対応する完了データが第２入力処理により入力されていない商品データを含む場合、少なくとも注文明細データを販売未完了データとして販売完了されていない状態が識別可能となるように表示装置２５に表示させる。
【００２６】
記録装置３２は、ハードディスク装置（ＨＤＤ（Hard disk drive））やＳＳＤ（solid state drive）装置等により実現され、プロセッサ３０が各種の処理を行う上で使用するデータ、あるいはプロセッサ３０での処理によって生成されたデータを記録する。記録装置３２には、例えば店舗サーバ４から受信される注文明細データを記録する注文明細データファイル、注文明細データをもとに生成された売上未計上明細ファイル（未計上明細データ）等が記録される。注文明細データファイルは、店舗サーバ４から受信された注文明細データのそれぞれについて、消し込み済み（売上登録済み）を示す消込み済みフラグ、配達完了が確認されたことを示す配達確認済みフラグが設定される（図７参照）。なお、注文明細データファイルは、店舗サーバ４と他のＰＯＳ端末２とにおいて同期され、同じデータが記録されているものとする。
【００２７】
カードリード／ライタ３３は、カードに記録されたデータを読み取るとともに、カードへデータを書き込む装置である。カードは、クレジットカード、デビットカード、電子マネーカード、プリペイドカードなどの決済用カードの他に、メンバーズカード、ポイントカードなどの会計処理に関わる情報を記録する各種のカードを含み得る。カードリード／ライタ３３は、磁気式、接触式、あるいは非接触式の何れのデバイスであっても良いし、また複数種のデバイスを含んでいても良い。
【００２８】
入力装置３４は、金額を入力するための数字キー、小計及び合計等の演算を実行させるための演算キー、各種コマンド入力用のキー、複数の商品を割り当てることができる商品キーなどを含むキーボード、タッチパネル等により実現される。タッチパネルは、表示装置３５と一体に構成される。
【００２９】
表示装置３５は、例えばカラーＬＣＤ等の表示デバイスにより実現され、プロセッサ３０の制御により、購入対象として登録された商品に関する売上登録データ（商品名、金額など）の一覧リスト、小計金額、各種のメニュー、及びコマンドを入力するためのボタンなどを表示する。
【００３０】
印刷装置３６は、例えばサーマルプリンタまたはドットインパクトプリンタなどにより実現され、例えばレシート用紙に対して各種の文字列、画像、コードパターン（バーコードなど）などを印刷することによりレシート、ジャーナル等を発行する。
【００３１】
スキャナ３７は、光学的スキャンにより商品に印刷されたコード（バーコードなど）を読み取って、コードが示す商品に固有の商品コードを入力する。スキャナ２５は、固定式またはハンディ式のコードスキャナとすることができる。
【００３２】
通信Ｉ／Ｆ３８は、プロセッサ３０の制御のもとで、ＬＡＮ３を介した店舗サーバ４との通信を制御する。
【００３３】
なお、図示していないが、据え置き型のＰＯＳ端末２には、投入される硬貨及び紙幣を収受／排出する釣り銭機（ドロワ）が設けられる。
【００３４】
本部サーバ９は、専用回線８を介して接続された複数の店舗システム７を統括するための機能が設けられている。本部サーバ９は、例えばチェーン売上ファイル、会員マスタファイル、会員別実績ファイル等を記録している。チェーン売上ファイルは、各店舗の店舗サーバ４から送信される店舗売上ファイル（売上登録データが計上されたファイル）を記録するためのファイルである。会員マスタファイルは、会員登録された顧客についての会員情報（会員番号、顧客名称、性別、誕生日、住所、電話番号、購入店舗等）を会員顧客毎に記録するファイルである。会員別実績ファイルは、店舗システム７から送信される会員別注文販売ファイルをもとに、注文販売の実績情報を会員顧客毎に記録するファイルである。チェーン売上ファイル及び会員別実績ファイルは、店舗システム７から受信される店舗売上ファイルと会員別注文販売ファイルをもとに所定のタイミングで累積更新される。
【００３５】
次に、本実施形態におけるネットスーパーシステムの動作について説明する。  
まず、店舗内で商品が購入される場合の店舗システム７における売上登録処理の動作について説明する。
【００３６】
例えば、ＰＯＳ端末２のプロセッサ３０は、商品に付されたコード（バーコードなど）がスキャナ３７によって読み取られると、読み取ったバーコードをもとに商品コードを判別して店舗サーバ４に問い合わせる。店舗サーバ４は、ＰＯＳ端末２からの問い合わせに応じて、商品コードをもとに商品マスタファイルを検索し、商品コードに対応した商品情報を読み出してＰＯＳ端末２へ送信する。商品情報には、商品名や単価等のデータを含む。
【００３７】
ＰＯＳ端末２は、店舗サーバ４から商品情報を受信し、商品情報に含まれる商品名や単価等に基づいて売上登録データを生成する。ＰＯＳ端末２は、顧客から商品の代金を収受して会計処理を実行する。ＰＯＳ端末２は、会計処理が完了すると印刷装置３６によりレシートを印字し、ジャーナルデータを記録する。また、ＰＯＳ端末２は、売上登録データを店舗サーバ４へ送信する。
【００３８】
店舗サーバ４は、ＰＯＳ端末２から売上登録データを受信すると、この売上登録データを店舗売上ファイルに累計（売上計上）する。店舗サーバ４は、売上登録データが累計された店舗売上ファイルを、所定のタイミングで本部サーバ９に送信する。
【００３９】
次に、ネットスーパーサーバ６が提供するネットスーパーを通じて商品が注文される場合の動作について説明する。  
まず、本実施形態におけるネットスーパーサーバ６の動作について説明する。図２は、本実施形態におけるネットスーパーサーバ６の動作を示すフローチャートである。
【００４０】
ネットスーパーサーバ６は、店舗において販売が可能な商品のうち、ネットスーパーで販売の対象となる商品の商品名や単価等の商品情報を掲載したネットスーパー用のＷｅｂサイトをインターネット５上に公開する。Ｗｅｂサイトでは、電子機器１０からアクセスして、購入対象とする商品や数量、配達日（購入日）、購入店舗等を指定して商品を注文することができる。ネットスーパーサーバ６は、Ｗｅｂサイトを通じて、商品購入の注文内容を示す注文データを受け付ける。
【００４１】
なお、顧客が予め会員登録している場合には、Ｗｅｂサイトに会員番号が入力されることにより顧客認証することができる。一方、会員登録していない顧客の場合、商品の配達に必要な情報として、会員情報と同様の情報（顧客名称、住所、電話番号、購入店舗等）がＷｅｂサイトから入力されるものとする。
【００４２】
なお、ネットスーパーによる商品の注文は、Ｗｅｂサイトを通じてするだけでなく、例えば電話注文やＦＡＸ注文をすることが可能である。顧客からの電話注文やＦＡＸ注文による注文内容は、例えばネットスーパーの顧客担当の操作により、ネットスーパーサーバ６に登録する。さらに、店舗内において顧客からの注文を受け付け、ＰＯＳ端末２の操作によりネットスーパーサーバ６に登録することも可能である。
【００４３】
ネットスーパーサーバ６は、顧客からの商品購入の注文内容を示す注文データを受け付けると（Ａｃｔ１１、Ｙｅｓ）、商品を販売（配達）する店舗に注文内容を通知するための注文明細データを生成する（Ａｃｔ１２）。注文明細データには、商品の配達に必要となる顧客指名や住所などの会員情報に含まれる情報、販売時機を表す配達日（購入日）や配達時間帯（例えば、朝便、昼便、夕便など）、商品情報（商品名、数量、金額等）、注文明細データを識別するための固有の注文識別情報が含まれる。
【００４４】
ネットスーパーサーバ６は、注文明細データに設定された販売時機（配達日）をもとに決められる送信時刻になると（Ａｃｔ１３、Ｙｅｓ）、注文明細データを指定された店舗の店舗サーバ４に送信する（Ａｃｔ１４）。例えば、ネットスーパーサーバ６は、配達日前日の予め決められた時刻に注文明細データを送信する。
【００４５】
次に、ネットスーパーサーバ６から注文明細データを受信した店舗システム７の動作について説明する。  
図３は、本実施形態における店舗サーバ４の動作を示すフローチャートである。
【００４６】
店舗サーバ４のプロセッサ２０は、ネットスーパーサーバ６から注文明細データを受信すると（Ａｃｔ２１）、記録装置２２に記録する。プロセッサ２０は、例えば入力装置２４の操作による店員から指示に応じて、注文明細データが示す注文内容を表示装置２５において表示させ、また注文明細データをもとに注文明細伝票を生成して印刷装置２６により印刷出力させる（Ａｃｔ２２）。店員は、表示装置２５に表示される注文内容、あるいは注文明細伝票を参照することで、配送（納品）予定を確認することができる。
【００４７】
図６は、本実施形態における店舗サーバ４により印刷出力される注文明細伝票（お届け伝票）の一例を示す図である。  
図６に示す注文明細伝票には、例えば、配達先に関する情報が記載される配達先情報領域Ａ１、注文明細データに固有の注文識別情報に応じて生成される帳票番号バーコードＡ２、販売時機を表す配達情報が記載される配達時機情報領域Ａ３１、支払い方法を記載する支払い方法領域Ａ３２、代金（領収金額）を記載する金額領域Ａ３３、商品を配達する店舗名が記載される店舗名領域Ａ３４、配達業務を担当する店員の印が捺印される担当印領域Ａ３５、商品の配達完了時に顧客に受領サインあるいは捺印をしてもらうための受領印領域Ａ３６、配達される商品情報が一覧形式により記載される商品情報領域Ａ４が設けられている。
【００４８】
配達先情報領域Ａ１には、例えば、顧客の名前、電話番号、住所、会員番号が記載される。配達時機情報領域Ａ３１には、例えば、配達日（購入日）、及び配達時間帯（例えば、朝便、昼便、夕便の何れか）が記載される。商品情報領域Ａ４には、商品名、単価、数量、小計、合計金額が記載される。
【００４９】
次に、注文明細伝票（お届け伝票）に記載された商品について正しく売上登録する場合について説明する。図４は、本実施形態におけるＰＯＳ端末２の動作を示すフローチャートである。
店員は、注文明細伝票の配達時機情報領域Ａ３１に記載された配達時機に合わせて、顧客に商品を配達するための準備（袋詰めなど）をする。まず、店員は、ＰＯＳ端末２のスキャナ３７により帳票番号バーコードＡ２を読み取らせる。プロセッサ３０は、スキャナ３７により帳票番号バーコードが入力されると（Ａｃｔ４１、Ｙｅｓ）、帳票番号バーコードが示す注文識別情報に対応する注文明細データを店舗サーバ４に要求する。店舗サーバ４のプロセッサ２０は、ＰＯＳ端末２からの要求に応じて、商品情報（商品情報領域Ａ４に記載された商品についての情報）を含む注文明細データをＰＯＳ端末２に送信する。プロセッサ３０は、店舗サーバ４から注文明細データを受信すると（図４、Ａｃｔ４２）、注文明細データに含まれる商品情報を表示装置３５に表示し、店員に対して商品登録処理の実行を要求する。
【００５０】
ＰＯＳ端末２は、スキャナ３７により商品に付されたバーコードが読み取られ、バーコードが示す商品コードが入力されると（Ａｃｔ４３、Ｙｅｓ）、この商品コードについて注文内容消し込み処理を実行する（Ａｃｔ４４）。すなわち、プロセッサ３０は、入力された商品コードが商品情報に含まれる配達対象とする商品の商品コードと一致するか判別する。商品コードが一致する場合、プロセッサ３０は、商品情報に含まれる該当する商品を削除（消し込み）し、この商品について売上登録データを作成する（商品登録する）。なお、商品コードが一致しない場合には、プロセッサ３０は、配送対象の商品でないことを店員に通知するため警告を出力する。
【００５１】
以下、同様にして、プロセッサ３０は、配達対象とする各商品の商品コードを入力し、商品情報から該当する商品を削除する（消し込みする）。配達対象とする商品情報に含まれる全ての商品コードが入力された後、入力装置３４の例えば締めキーの操作により取引締めが指示されると（Ａｃｔ４５、Ｙｅｓ）、プロセッサ３０は、商品コードが入力された商品について締め処理をする（Ａｃｔ４６）。
【００５２】
すなわち、プロセッサ３０は、売上登録された全ての商品の商品情報及び金額とを含む売上登録データを作成する。また、プロセッサ３０は、店舗用の控えレシートと商品の配達時に顧客に渡す顧客控えレシートとを印刷装置３６により印刷させると共に、レシートに印刷した内容を含むジャーナルデータを作成する。プロセッサ３０は、売上登録データに注文識別情報を付加して、ジャーナルデータと共に店舗サーバ４に送信する。また、プロセッサ３０は、注文明細データファイルの売上登録が完了した注文明細データについて、消し込み済み（売上登録済み）を示す消込み済みフラグを設定する。
【００５３】
図７は、本実施形態における注文明細データファイルのデータ構成の概略を示す図である。
【００５４】
図３に戻り、店舗サーバ４のプロセッサ２０は、ＰＯＳ端末２から売上登録データとジャーナルデータを受信すると（図３、Ａｃｔ２３、Ｙｅｓ）、売上計上処理を実行する（Ａｃｔ２４）。すなわち、プロセッサ２０は、店舗売上ファイルにＰＯＳ端末２から受信した売上登録データを記録すると共に、電子ジャーナルファイルにジャーナルデータを記録する。また、プロセッサ２０は、売上登録データに付加された注文識別情報をもとに何れの顧客から注文された商品について売上登録されたかを判別し、会員別の商品の販売実績（売上登録データ）を会員別注文販売ファイルに記録する。
【００５５】
店員は、スキャナ３７により商品コードを読み取った商品、すなわち商品登録のための作業が完了した商品を袋詰めして、顧客に配送する。商品の配達時には、図６に示す注文明細伝票（お届け伝票）の受領印領域Ａ３６に、顧客により受領サインあるいは捺印をしてもらう。こうして、商品が顧客に配達されることにより商品の販売が完了する。配達が完了した後、店員（例えば店長などの責任者）は、注文明細伝票に受領サインあるいは捺印がされたことを確認した上、ＰＯＳ端末２を配達完了入力状態にして帳票番号バーコードＡ２をスキャナ３７により読み取らせる。
【００５６】
プロセッサ３０は、帳票番号バーコードが読み取られると、帳票番号バーコードが示す注文識別情報に対応する注文明細データ、すなわち配達完了が確認された注文明細データファイルの注文明細データについて配達確認済みフラグを設定する（図７参照）。ここで、帳票番号バーコードが示す注文識別情報は、商品の販売完了を示す完了データを示す。また、プロセッサ３０は、帳票番号バーコードが示す注文識別情報を店舗サーバ４に送信する。店舗サーバ４のプロセッサ２０は、注文識別情報を受信すると（Ａｃｔ２５、Ｙｅｓ）、同様にして配達完了が確認された注文明細データファイルの注文明細データについて配達確認済みフラグを設定する（Ａｃｔ２６）。
【００５７】
こうして、商品配達前に商品の商品コードを読み取ることにより、正しく商品登録処理が実行され、配達される商品について売上が計上される。また、配達完了した商品について、注文明細伝票の帳票番号バーコードＡ２を読み取ることで、配達完了を記録することができる。
【００５８】
これに対して、店員が店舗サーバ４により印刷された注文明細伝票（お届け伝票）の商品情報を見ながら商品の袋詰めをする場合に、ＰＯＳ端末２を介して商品コードを入力（売上登録）しない場合がある。すなわち、売上登録が実行されないまま、商品が配達されてしまう場合がある。このように、注文明細伝票（お届け伝票）に記載された商品について正しく売上登録されない場合について説明する。
【００５９】
本実施形態の店舗システム７は、ＰＯＳ端末２の操作により実行される点検業務処理において、販売時機が設定された注文明細データのうち、少なくとも過日（前日）までに全ての商品について売上登録（売上計上）されていない注文明細データを判定して、該当する注文明細データを店員が容易に識別可能な形態で一覧表示（売上未計上確認画面（図９参照））させることができる。
【００６０】
図５は、本実施形態におけるＰＯＳ端末２による点検業務処理時の動作を示すフローチャートである。  
ＰＯＳ端末２は、店員の操作により点検業務処理の実行が指示されると、表示装置３５において点検業務選択メニュー画面を表示させる。図８は、本実施形態における点検業務選択メニュー画面５０の一例を示す図である。
【００６１】
点検業務選択メニュー画面５０には、複数の点検業務をそれぞれ実行させるためのボタン、例えば入金登録ボタン５１、売掛・レジ支出登録ボタン５２、仮点検ボタン５３、本点検ボタン５４、全レジ本点検合計ボタン５５、障害レジ本点検ボタン５６が設けられている。
【００６２】
本実施形態では、例えば本点検ボタン５４の操作に応じて実行される本点検業務処理において、通常の点検業務と共に、売上登録（売上計上）されていない注文明細データを判定し、該当する注文明細データがある場合に売上未計上確認画面を表示するものとする。なお、本点検ボタン５４の操作に応じて実行される本点検業務処理は、例えば店舗の１日分の業務を終了する際に１日に１回実行される処理であり、店舗における一日の売上を確定する処理を開始させる。
【００６３】
本点検ボタン５４の操作により点検業務処理の実行が指示されると（図５、Ａｃｔ５１、Ｙｅｓ）、プロセッサ３０は、この指示に応じて本点検業務の処理を開始する場合に、店舗サーバ４に販売情報を問い合わせる（Ａｃｔ５２）。
【００６４】
店舗サーバ４のプロセッサ２０は、店舗サーバ４から販売情報の問い合わせが受信されると（Ａｃｔ２７、Ｙｅｓ）、店舗売上ファイルに売上登録データが記録されていない未計上の注文明細データがあるか判定する（Ａｃｔ２８）。すなわち、プロセッサ２０は、注文明細データファイルに消込み済みフラグが設定されていない注文明細データを検索する。
【００６５】
ここでは、プロセッサ２０は、販売時機（配達日）が過日分、つまり前日以前の注文明細データを対象とする。本実施形態では、販売時機（配達日）から２日以内であれば、ＰＯＳ端末２の操作により注文明細データについての売上登録処理を可能とする。２日が経過した以降は、ＰＯＳ端末２において注文明細データの売上登録処理（売上計上処理）をすることができず、本部サーバ９において処理される。従って、点検業務処理において過日分の未計上の注文明細データを判定する際、プロセッサ２０は、販売時機（配達日）が前日分と前々日分の注文明細データを対象とする。
【００６６】
なお、点検業務処理を毎日実行することにより、以下に説明するように、前日分の未計上の注文明細データを一括して売上登録（売上計上）することができる。しかし、前日に点検業務処理が実行されなかった場合、あるいはシステムの何らかの理由により売上登録（売上計上）されなかった注文明細データが存在する場合があるため、前々日分の注文明細データについても対象としている。
【００６７】
ここで、未計上の注文明細データが存在する場合（Ａｃｔ２９、Ｙｅｓ）、プロセッサ２０は、販売情報取込の問い合わせに対する応答として、未計上の注文明細データがあることを通知する（Ａｃｔ３０）。
【００６８】
ＰＯＳ端末２のプロセッサ３０は、販売情報取込応答を受信し（Ａｃｔ５３）、未計上の注文明細データがあることが判別されると（Ａｃｔ５４、Ｙｅｓ）、所定のコマンドを店舗サーバ４に送信することにより未計上の注文明細データを要求する（Ａｃｔ５５）。
【００６９】
店舗サーバ４のプロセッサ２０は、所定のコマンドにより未計上の注文明細データが問い合わされると（Ａｃｔ３１、Ｙｅｓ）、注文明細データに含まれる商品データが少なくとも過日（前日）までに売上計上されていない注文明細データ（未計上データ）を識別可能にした売上未計上明細ファイルを作成する。そして、プロセッサ２０は、売上未計上明細ファイルをＰＯＳ端末２に送信して、売上未計上確認画面において表示させる（Ａｃｔ３２）。
【００７０】
プロセッサ３０は、少なくとも未計上データを含む売上未計上明細ファイルを受信すると、表示装置３５において売上未計上確認画面を表示して、売上登録されていない注文明細データ（未計上データ、第１明細データ）を識別可能な形態により一覧表示する。
【００７１】
図９は、本実施形態における売上未計上確認画面６０の一例を示す図である。図９に示す売上未計上確認画面６０には、例えば、注文明細データをリスト形式により一覧表示する表示領域６１、表示領域６１に全ての注文明細データを表示できない場合に、表示対象とする注文明細データをスクロールして表示させるための上スクロールボタン６２及び下スクロールボタン６３、表示領域６１に表示された注文明細データについて売上登録（売上計上）をしない指示を入力するための「いいえ」ボタン６４、及び表示領域６１に表示された複数の注文明細データについて一括して売上登録（売上計上）をする指示を入力するための「はい」ボタン６５が設けられている。表示領域６１では、１つの注文明細データについて、例えば納品日、配達時機（朝便、昼便、夕便）、会員番号、数量、注文金額（代金）の各情報が表示される。なお、その他の情報が表示されるようにしても良い。
【００７２】
図９に示す例では、売上登録されていない注文明細データのみを表示領域６１に一覧表示する形態であるため、売上登録されていない注文明細データを容易に識別可能である。
【００７３】
店員は、売上未計上確認画面６０の表示領域６１において表示される注文明細データについて、例えば店舗用の控えレシートや注文明細伝票（お届け伝票）を参照するなどして売上登録（売上計上）されていないことを確認した場合、「はい」ボタン６５を選択する操作により売上計上（一括計上）を要求することができる。
【００７４】
なお、「いいえ」ボタン６４を選択する操作がされた場合（Ａｃｔ５８、Ｎｏ）、プロセッサ３０は、売上未計上確認画面６０を利用した一括計上をしないものと判別し、売上未計上確認画面６０を消去する。
【００７５】
プロセッサ３０は、店員により「はい」ボタン６５を選択する操作がされた場合、すなわち表示領域６１に表示された注文明細データについて売上計上が要求された場合（Ａｃｔ５８、Ｙｅｓ）、店舗サーバ４に対して売上計上要求を送信する（Ａｃｔ５９）。
【００７６】
すなわち、プロセッサ３０は、表示領域６１に表示された複数の注文明細データのそれぞれについて、注文明細データに含まれる全ての商品データについての売上登録データを商品コードのスキャンなしで自動作成する。また、プロセッサ３０は、売上登録データに応じて、ジャーナルデータを作成する。プロセッサ３０は、売上登録データに注文識別情報を付加して、ジャーナルデータと共に店舗サーバ４に送信する。
【００７７】
店舗サーバ４のプロセッサ２０は、ＰＯＳ端末２から売上計上が要求されると（Ａｃｔ３３、Ｙｅｓ）、複数の注文明細データのそれぞれに対応して、ＰＯＳ端末２から受信した売上登録データを店舗売上ファイルに記録すると共に、ジャーナルデータを電子ジャーナルファイルに記録する。また、プロセッサ２０は、会員別の商品の販売実績（売上登録データ）を会員別注文販売ファイルに記録する（Ａｃｔ３４）。
【００７８】
このようにして、本実施形態における店舗システム７では、注文明細伝票に記載された商品について正しく売上登録されない場合であっても、点検業務処理において、売上登録（売上計上）されていない注文明細データを売上未計上確認画面６０の表示領域６１において一覧表示させるので、売上登録処理の作業の抜けを簡単に確認することができる。また、表示領域６１に表示された複数の注文明細データについて、「はい」ボタン６５を選択する操作のみで簡単に一括して売上計上することができる。このため、店員の作業負担を大幅に軽減すると共に、複数の注文明細データに含まれる全ての商品データについて確実に売上計上して店舗の売上に反映することができる。
【００７９】
なお、本実施形態における店舗システム７では、次のような変形が可能である。  
（１）前述した説明では、過日分（前日分、前々日分）の注文明細データのみを売上未計上確認画面６０において一覧表示するとしているが次のようにしても良い。
【００８０】
（１Ａ）過日分だけでなく当日の注文明細データを含めて表示する。この場合、店舗サーバ４は、当日分の注文明細データのうち、例えば配達時機を経過して消し込み済み（売上登録済み）となっていない注文明細データを識別可能な売上未計上明細ファイルを生成してＰＯＳ端末２に送信する。これにより、当時分の未計上の注文明細データについても、売上未計上確認画面６０を通じて一括して売上計上することができる。
【００８１】
（１Ｂ）さらに、配達時機を経過していない注文明細データを対象とする。すなわち、ネットスーパーサーバ６から受信した注文明細データのうち配達時機になっていない注文明細データを含めて表示する。この場合、店舗サーバ４は、配達時機を経過していない注文明細データ（配達予定が明日以降）と、配達時機を経過して消し込み済み（売上登録済み）となっていない注文明細データとを識別可能とする売上未計上明細ファイルを作成してＰＯＳ端末２に送信する。なお、配達時機を経過して消し込み済みとなっていない注文明細データは、配達確認済みフラグが未設定となっている配達完了が確認されていない注文明細データ（販売未完了データ、第２明細データ）を対象としても良い。ＰＯＳ端末２は、それぞれを店員が識別可能に区分した形態によって表示する。この場合、売上未計上確認画面６０において「はい」ボタン６５により一括計上が指示された場合、表示領域６１により表示された一部（配達時機を経過した注文明細データ）のみを一括計上の対象とする。
【００８２】
（１Ｃ）さらに、売上未計上確認画面６０において表示対象とする注文明細データの範囲を店員の操作によって指定できるようにしても良い。例えば、「前日分、前々日分」（過日分）、「本日分、前日分、前々日分」、さらには「本日分」「前日分」「前々日分」を個々に指定できるようにする。
【００８３】
例えば、ＰＯＳ端末２の操作により予め表示対象とする注文明細データの範囲を店舗サーバ４に対して設定しておく。店舗サーバ４は、この設定内容に応じて、該当する範囲の未計上の注文明細データを識別可能にした売上未計上明細ファイルを生成してＰＯＳ端末２に送信する。
【００８４】
これにより、一括計上の対象とする範囲を特定して、売上未計上確認画面６０の表示領域６１に該当する注文明細データを一覧表示することができる。よって、確認が必要な未計上の注文明細データ数を制限して、確認作業の負担を軽減することが可能となる。
【００８５】
（２）前述した説明では、売上未計上確認画面６０の表示領域６１において、売上未計上の注文明細データのみを表示するとしているが、売上計上済みの注文明細データを含めて一覧表示するようにしても良い。
【００８６】
この場合、ＰＯＳ端末２は、売上計上済み／未計上の注文明細データを含み、未計上の注文明細データを識別可能にした売上未計上明細ファイルを作成してＰＯＳ端末２に送信する。ＰＯＳ端末２は、未計上の注文明細データを店員が識別可能に形態により、売上計上済みの注文明細データと共に売上未計上確認画面６０において表示させる。
【００８７】
これにより、全ての注文明細データのうち、未計上の注文明細データの数を視覚的に容易に把握することができる。
【００８８】
（３）前述した説明では、売上未計上確認画面６０の表示領域６１に表示された未計上の注文明細データについて、「はい」ボタン６５の操作に応じて全てを一括計上しているが、選択的に注文明細データについて売上計上するようにしても良い。
【００８９】
（３Ａ）ＰＯＳ端末２は、入力装置３４に対する店員の操作により、表示領域６１に表示された複数の注文明細データの一覧から個別に注文明細データを選択できるようにする。ＰＯＳ端末２は、「はい」ボタン６５により一括計上が指示された場合、店員の操作によって個別に選択された注文明細データのみを一括計上の対象とする。あるいはＰＯＳ端末２は、個別に選択された注文明細データ以外の他の注文明細データを一括計上の対象としても良い。
【００９０】
これにより、詳細な確認が必要な注文明細データを個別に一括計上の対象から削除したり、配達されたことが確実な注文明細データを個別に選択して一括計上したりすることができる。
【００９１】
（３Ｂ）ＰＯＳ端末２は、注文明細データファイルに記録された注文明細データのうち、売上登録されておらず（消込み済みフラグ未設定）、かつ配達確認済みフラグが設定された配達完了が確認された注文明細データを一括計上の対象とする。これにより、配達されたことが確実な注文明細データのみを簡単に一括計上の対象とすることができる。
【００９２】
（４）前述した説明では、本点検ボタン５４を選択する操作があった場合に、点検業務処理において売上未計上確認画面６０を表示しているが、その他の条件に応じて売上未計上確認画面６０を表示することもできる。
【００９３】
（４Ａ）前述した説明では、本点検ボタン５４の操作により１日に１回実行される本点検処理において売上未計上確認画面６０を表示させているが、例えば仮点検ボタン５３の操作により１日に何度でも実行可能な仮点検処理において、前述と同様にして売上未計上確認画面６０を表示させるようにしても良い。仮点検処理において売上未計上確認画面６０を表示可能とする場合、ＰＯＳ端末２は、例えば本日配達予定分の注文明細データを対象として、未計上の注文明細データを表示領域６１に表示する。すなわち、仮点検処理において配達予定の注文明細データを確認することができる。
【００９４】
（４Ｂ）また、店員からの指示に応じて点検を実行するのではなく、ＰＯＳ端末２は、予め決められた時刻に自動的に実行することもできる。例えば、ＰＯＳ端末２は、店員によって予め設定された時刻、あるいは予め設定された時間毎に、図５に示す処理を実行する。
【００９５】
これにより、店員が点検業務の実行を忘れていたとしても、ＰＯＳ端末２は、予め決められた時刻に自動的に売上未計上確認画面６０を表示して、未計上の注文明細データの一覧を表示し、店員に確認を促すことができる。
【００９６】
（４Ｃ）また、ＰＯＳ端末２は、注文明細データに設定された販売時機を表す配達情報をもとに、売上未計上確認画面６０を表示するようにしても良い。例えば、ＰＯＳ端末２は、配達予定時刻（朝便、昼便、夕便）から予め決められた時間前（例えば、１時間前）に売上未計上確認画面６０を表示する。これにより、配達予定の注文明細データを表示領域６１の一覧において確認することができる。また、ＰＯＳ端末２は、配達予定時刻を予め決められた時間経過した後（例えば、１時間後）に売上未計上確認画面６０を表示する。これにより、店員は、売上未計上確認画面６０において、直近の売上登録（売上計上）及び配達完了を記録する必要がある注文明細データについて確認することができる。
【００９７】
（５）店舗サーバ４では、図３（Ａｃｔ２３）において、ＰＯＳ端末２から売上登録データが受信されることで売上計上しているが、ＰＯＳ端末２から帳票番号バーコードが示す注文識別情報を受信した場合に、対応する注文明細データについて売上計上するようにしても良い。すなわち、顧客に商品が配達されたことが確認された時点で売上計上することで、例えば配達時のトラブルにより顧客に配達されなかった商品を売上計上しないようにすることもできる。
【００９８】
なお、本実施形態における店舗システム７では、前述した（１）〜（５）を任意に組み合わせて実施することが可能である。
【００９９】
さらに、本実施形態の店舗システム７は、次のようにしても良い。  
前述した説明では、ＰＯＳ端末２を店舗サーバ４から受信したデータ（売上未計上明細ファイル）をもとに売上未計上確認画面を表示する表示装置として使用しているが、店舗サーバ４を表示装置として用いても良い。すなわち、店舗サーバ４は、前述したＰＯＳ端末２と同様の売上未計上確認画面６０の表示、及び売上未計上確認画面６０を通じて入力される指示に応じた一括計上を実行することも可能である。また、その他の装置を表示装置として使用しても良い。例えば、店舗サーバ４と通信が可能な他の装置（ＰＣ等）を表示装置として使用しても良い。
【０１００】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０１】
また、前述した実施の形態において記載した処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録されたプログラムを読み込み、または通信媒体を介してプログラムを受信し、このプログラムによって動作が制御されることにより、上述した処理を実行する。
【符号の説明】
【０１０２】
２（２−１，２−２，…，２−ｍ）…ＰＯＳ端末、４…店舗サーバ、７（７−１，７−２，…，７−ｎ）…店舗システム、１０…電子機器、２０，３０…プロセッサ、２１，３１…メモリ。
【図１】
2018120625.tif 000003
【図２】
2018120625.tif 000004
【図３】
2018120625.tif 000005
【図４】
2018120625.tif 000006
【図５】
2018120625.tif 000007
【図６】
2018120625.tif 000008
【図７】
2018120625.tif 000009
【図８】
2018120625.tif 000010
【図９】
2018120625.tif 000011
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
表示部と、
販売時機が設定された商品の商品データを含む注文明細データを外部装置から受信する受信部と、
前記注文明細データが前記販売時機を過ぎても売上登録されていない商品データを含む場合、少なくとも当該注文明細データを未計上データとして売上登録されていない状態が識別可能となるように前記表示部に表示する制御部と、
を有する表示装置。
【請求項２】
前記表示部に表示された前記未計上データを売上登録する指示を入力する入力部と、
前記売上登録する指示が入力された場合に、前記注文明細データに含まれる前記未計上データを売上登録する登録部と、
をさらに有する請求項１記載の表示装置。
【請求項３】
前記制御部は、
前記注文明細データに対する前記販売時機を基準とした、表示対象とする範囲を設定し、前記範囲に含まれる前記注文明細データを表示する請求項１記載の表示装置。
【請求項４】
前記制御部は、前記販売時機を経過していない前記注文明細データを、前記販売時機を過ぎても売上登録されていない商品データを含む前記注文明細データと識別可能となるように前記表示部に表示する請求項１記載の表示装置。
【請求項５】
前記入力部は、前記表示部に表示された複数の前記未計上データから売上登録する前記未計上データを個別に選択し、
前記登録部は、個別に選択された前記未計上データを売上登録する請求項２記載の表示装置。
【手続補正２】
【補正対象書類名】明細書
【補正対象項目名】０００７
【補正方法】変更
【補正の内容】
【０００７】
実施形態によれば、表示装置は、表示部、受信部、及び制御部を有する。受信部は、販売時機が設定された商品の商品データを含む注文明細データを外部装置から受信する。制御部は、前記注文明細データが前記販売時機を過ぎても売上登録されていない商品データを含む場合、少なくとも当該注文明細データを未計上データとして売上登録されていない状態が識別可能となるように前記表示部に表示する。